(57)【要約】【課題】本発明の目的は作業性の向上及び製造費用を節減することができるようにしたデータ駆動集積回路及びその駆動方法と、それを利用した液晶表示装置及びその駆動方法を提供することである。【解決手段】この液晶表示装置は多数のデータラインなどに画素データを供給するためのデータ集積回路と、前記データ集積回路に設置されて前記データ集積回路のチャンネルを選択するための選択端子などとを具備して；前記データ集積回路のチャンネルは前記選択端子から発生される論理値につれて調整されることを特徴とする。【選択図】図４
2005173591.tif 000002
【特許請求の範囲】
【請求項１】
表示装置の多数のデータラインと接続されたデータ駆動集積回路において、多数の出力チャンネルと、前記表示装置の解像度に従って前記データラインの数に対応した前記画素データを供給するデータ出力チャンネルを前記多数の出力チャンネルから選択する選択部を具備して、他の出力チャンネルには画素データが供給されないことを特徴とするデータ駆動集積回路。
【請求項２】
前記選択部は前記データ出力チャンネルを決めるためのチャンネル選択信号を発生する第１及び第２オプションピンを具備することを特徴とする請求項１記載のデータ駆動集積回路。
【請求項３】
前記選択部は前記チャンネル選択信号に沿って前記データ出力チャンネルの数を調節することを特徴とする請求項２記載のデータ駆動集積回路。
【請求項４】
前記選択部は第１乃至第４論理値を発生して、前記第４論理値であれば前記出力チャンネルの総数N(Nは定数)より小さな I個を、前記第３論理値であれば前記 I より小さな J個を、前記第２論理値であれば前記 J より小さな K個を、前記第１論理値であれば前記 K より小さな M個を前記データ出力チャンネルで選択することを特徴とする請求項３記載のデータ駆動集積回路。
【請求項５】
前記 I個は６４２個のデータ出力チャンネルを、前記 J個は６３０個のデータ出力チャンネルを、前記 K個は６１８個のデータ出力チャンネルを、前記 M個は６００個のデータ出力チャンネルを含むことを特徴とする請求項４記載のデータ駆動集積回路。
【請求項６】
前記第４論理値は６４３番目からN番目出力チャンネルまで、前記第３論理値は６３１番目からN番目出力チャンネルまで、前記第２論理値は ６１９番目からN番目出力チャンネルまで、前記第１論理値は６０１番目から N番目出力チャンネルまでデ−セイブルさせることを特徴とする請求項４記載のデータ駆動集積回路。
【請求項７】
サンプリング信号を順次的に供給するシフトレジスタ部と、前記シフトレジスタ部からのサンプリング信号に沿って画素データをラッチするためのラッチと、前記ラッチからの前記画素データをアナログ画素データに変換するデジタル-アナログ変換部と、前記デジタル-アナログ変換部からの前記画素データをバッファリングして前記多数のデータラインに出力するためのバッファ部とをもっと具備することを特徴とする請求項６記載のデータ駆動集積回路。
【請求項８】
前記デジタル-アナログ変換部に正極性及び負極性ガンマ電圧を供給するガンマ電圧部をさらに具備することを特徴とする請求項７記載のデータ駆動集積回路。
【請求項９】
前記デジタル-アナログ変換部は、前記画素データを正極性画素データに変換するための正極性部と、前記画素データを負極性画素データに変換するための負極性部と、前記正極性部及び負極性部の出力を選択するマルチフレクサーとを具備することを特徴とする請求項７記載のデータ駆動集積回路。
【請求項１０】
前記データ出力チャンネルの数はプログラム化されたことを特徴とする請求項１記載のデータ駆動集積回路。
【請求項１１】
前記選択部は第１及び第２論理値を発生して、前記第１論理値であれば前記出力チャンネルの総数 N(Nは定数)より小さな I個の出力チャンネルを、前記第２論理値であれば前記 I個より小さな J個の出力チャンネルを前記データ出力チャンネルで選択することを特徴とする請求項３記載のデータ駆動集積回路。
【請求項１２】
表示装置の多数のデータラインに画素データを供給するデータ駆動直接回路において、データ出力チャンネル及びダミー出力チャンネルを含むN(Nは前記多数のデータライン以上の定数)個の出力チャンネルと、前記表示装置で要求される解像度に従って前記画素データが供給される前記データ出力チャンネルを選択する選択部を具備して、前記ダミー出力チャンネルには前記画素データが供給されないことを特徴とするデータ駆動集積回路。
【請求項１３】
前記データ出力チャンネルを選択するためのチャンネル選択信号を発生する選択信号発生部をさらに具備することを特徴とする請求項１２記載のデータ駆動集積回路。
【請求項１４】
前記選択信号発生部は電圧源及び基底電圧源に接続されて前記チャンネル選択信号を発生する第１及び第２選択端子を具備することを特徴とする請求項１２記載のデータ駆動集積回路。
【請求項１５】
前記データ出力チャンネルは前記多数のデータラインの数、前記表示装置でのデータ駆動集積回路の数、前記データ駆動集積回路が実裝されたテープキャリアパッケージの幅、前記画素データの入力ライン数の中から少なくともいずれかの条件に沿って設定されることを特徴とする請求項１２記載のデータ駆動集積回路。
【請求項１６】
前記チャンネル選択部は前記チャンネル選択信号に応答して I(I<N)個またはJ(J<I)個のデータ出力チャンネルを選択することを特徴とする請求項１３記載のデータ駆動集積回路。
【請求項１７】
前記チャンネル選択部は前記チャンネル選択信号に応答して I、J、K、N(ただ、I<J<K<N)個のデータ出力チャンネルの中からいずれかを選択することを特徴とする請求項１３記載のデータ駆動集積回路。
【請求項１８】
前記チャンネル選択部は前記出力チャンネルの中で一番目出力チャンネルから順方向へ I、J、K、N番目の中からいずれかまでを前記データ出力チャンネルで選択して、他の出力チャンネルは前記ダミー出力チャンネルになるようにすることを特徴とする請求項１７記載のデータ駆動集積回路。
【請求項１９】
前記画素データをシフトさせるためのサンプリング信号を発生するシフトレジスタをさらに具備して、前記チャンネル選択部は前記I番目、J番目、K番目及び N番目出力チャンネルにそれぞれ対応するW番目、X番目、Y番目、Z番目(ここで、W、X、Y、Zは定数)シフトレジスタの中からいずれかの出力信号を次端データ駆動集積回路で供給することを特徴とする請求項１８記載のデータ駆動集積回路。
【請求項２０】
前記チャンネル選択部は前記 N番目出力チャンネルから逆方向で第I１、第J１、第K１、第N１番目の中からいずれかまでを前記データ出力チャンネルで、他の出力チャンネルは前記ダミー出力チャンネルで選択することを特徴とする請求項１７記載のデータ駆動集積回路。
【請求項２１】
前記画素データをシフトさせるためのサンプリング信号を発生するシフトレジスタをさらに具備して、前記チャンネル選択部は前記I１番目、J１番目、K１番目及び N１番目の出力チャンネルにそれぞれ対応する W番目、X番目、Y番目、Z番目のシフトレジスタの中からいずれかにスタートパルスを供給することを特徴とする請求項２０記載のデータ駆動集積回路。
【請求項２２】
前記選択信号発生部は前記チャンネル選択信号を発生するスイッチを具備することを特徴とする請求項１３記載のデータ駆動集積回路。
【請求項２３】
前記選択信号発生部は前記チャンネル選択信号を発生するディープスイッチを具備することを特徴とする請求項１３記載のデータ駆動集積回路。
【請求項２４】
前記ダミー出力チャンネルはフローティングされることを特徴とする請求項１２記載のデータ駆動集積回路。
【請求項２５】
前記ダミー出力チャンネルは一定常数の電圧に設定されたことを特徴とする請求項１２記載のデータ駆動集積回路。
【請求項２６】
前記データ出力チャンネルの数はプログラム化されたことを特徴とする請求項１２記載のデータ駆動集積回路。
【請求項２７】
多数の出力チャンネルと、前記多数の出力チャンネルを前記多数のデータラインと接続されるデータ出力チャンネルと、フローティングされるダミー出力チャンネルに分離するチャンネル選択部を具備することを特徴とするデータ駆動集積回路。
【請求項２８】
前記データ出力チャンネルの数はプログラム化されたことを特徴とする請求項２７記載のデータ駆動集積回路。
【請求項２９】
多数のデータラインを多数のグループに分割駆動する多数のデータ駆動集積回路のそれぞれにおいて、多数の出力チャンネルと、前記多数の出力チャンネルの中で前記分割されたグループのデータラインと接続されて画素データを供給するためのデータ出力チャンネルを選択するチャンネル選択部を具備して、他の出力チャンネルには画素データが供給されないことを特徴とするデータ駆動集積回路。
【請求項３０】
データライン及びゲートラインと接続された液晶セルを持つ液晶パネルと、多数の出力チャンネルの中でデータ出力チャンネルを通じて前記データラインで画素データを供給するデータ駆動集積回路と、前記ゲートラインを駆動するゲート駆動集積回路と、前記データラインの数に沿って前記データ駆動集積回路のデータ出力チャンネルを選択するチャンネル選択部と、前記データ駆動集積回路及びゲート駆動集積回路を制御するタイミング制御部とを具備することを特徴とする液晶表示装置。
【請求項３１】
前記ダミー出力チャンネルを選択するためのチャンネル選択信号を発生して供給する選択信号発生部をもっと具備することを特徴とする請求項３０記載の液晶表示装置。
【請求項３２】
前記チャンネル選択部は前記データ駆動集積回路に内蔵して、前記選択信号発生部は電圧源及び基底電圧源に接続されて前記チャンネル選択信号を発生して前記内蔵したチャンネル選択部に供給する前記データ駆動集積回路の第１及び第２選択端子を具備することを特徴とする請求項３１記載の液晶表示装置。
【請求項３３】
前記データ出力チャンネルは前記データラインの数、前記データ駆動集積回路の数、前記データ駆動集積回路が実裝されたテープキャリアパッケージの幅、前記タイミング制御部と前記データ駆動集積回路の間のデータ送信ライン数の中から少なくともいずれかの条件に沿って設定されることを特徴とする請求項３０記載の液晶表示装置。
【請求項３４】
前記チャンネル選択部は前記チャンネル選択信号に応答して I(I<N)個またはJ(J<I)個のデータ出力チャンネルを選択することを特徴とする請求項３０記載の液晶表示装置。
【請求項３５】
前記チャンネル選択部は前記チャンネル選択信号に応答してI、 J、K、N(ただ、I<J<K<N)個のデータ出力チャンネルの中からいずれかを選択することを特徴とする請求項３０記載の液晶表示装置。
【請求項３６】
前記チャンネル選択部は前記出力チャンネルの中で一番目の出力チャンネルから順方向へ I、J、K、N番目の中からいずれかまでを前記データ出力チャンネルで選択して、他の出力チャンネルは前記ダミー出力チャンネルになるようにすることを特徴とする請求項３５記載の液晶表示装置。
【請求項３７】
前記データ駆動集積回路は前記画素データをシフトさせるためのサンプリング信号を発生するシフトレジスタをさらに具備して、前記チャンネル選択部は前記 I番目、J番目、K番目及び N番目の出力チャンネルにそれぞれ対応するW番目、X番目、Y番目、Z番目(ここで、W、X、Y、Zは定数)シフトレジスタの中からいずれかの出力信号を次端データ駆動集積回路に供給することを特徴とする請求項３６記載の液晶表示装置。
【請求項３８】
前記チャンネル選択部は前記N番目の出力チャンネルから逆方向で第I１、第J１、第K１、第N１番目の中からいずれかまでを前記データ出力チャンネルで、他の出力チャンネルは前記ダミー出力チャンネルで選択することを特徴とする請求項３５記載の液晶表示装置。
【請求項３９】
前記データ駆動集積回路は前記画素データをシフトさせるためのサンプリング信号を発生するシフトレジスタをさらに具備して、前記チャンネル選択部は前記 I１番目、J１番目、K１番目及び N１番目の出力チャンネルにそれぞれ対応する W番目、X番目、Y番目、Z番目のシフトレジスタの中からいずれかにスタートパルスを供給することを特徴とする請求項３８記載の液晶表示装置。
【請求項４０】
前記選択信号発生部は前記チャンネル選択信号を発生するスイッチを具備することを特徴とする請求項３１記載の液晶表示装置。
【請求項４１】
前記選択信号発生部は前記チャンネル選択信号を発生するディープスイッチを具備することを特徴とする請求項３１記載の液晶表示装置。
【請求項４２】
前記ダミー出力チャンネルはフローティングされることを特徴とする請求項３６記載の液晶表示装置。
【請求項４３】
表示装置で要求される解像度を決める段階と、N個の出力チャンネルの中で前記要求される解像度に沿って多数のデータラインと接続されて画素データを供給するためのM(MはNより小さいとか同様)個のデータ出力チャンネルと、画素データを供給しない(N-M)個のダミー出力チャンネルを選択する段階とを含むことを特徴とするデータ駆動集積回路の駆動方法。
【請求項４４】
前記データ出力チャンネルを選択する段階は前記データ駆動集積回路のオプションピンを利用する段階を含むことを特徴とする請求項４３記載のデータ駆動集積回路の駆動方法。
【請求項４５】
前記データ出力チャンネルを選択する段階は第１乃至第４論理値の中からいずれかを供給する段階を含むことを特徴とする請求項４３記載のデータ駆動集積回路の駆動方法。
【請求項４６】
前記データ出力チャンネルを通じて前記多数のデータラインで前記画素データを供給する段階をさらに含むことを特徴とする請求項４３記載のデータ駆動集積回路の駆動方法。
【請求項４７】
前記ダミー出力チャンネルをフローティングさせる段階をさらに含むことを特徴とする請求項４３記載のデータ駆動集積回路の駆動方法。
【請求項４８】
前記ダミー出力チャンネルを一定常数の電圧に設定する段階を含むことをさらに特徴とする請求項４３記載のデータ駆動集積回路の駆動方法。
【請求項４９】
前記データ出力チャンネルを選択するためのチャンネル選択信号を発生する段階をさらに含むことを特徴とする請求項４３記載のデータ駆動集積回路の駆動方法。
【請求項５０】
前記データ出力チャンネルを選択する段階は I、J、K、N(ただ、I<J<K<N)個のデータ出力チャンネルの中からいずれかを選択する段階を含むことを特徴とする請求項４３記載のデータ駆動集積回路の駆動方法。
【請求項５１】
スタートパルスをシフトさせてサンプリング信号を発生する段階と、前記サンプリング信号に応答して画素データをラッチする段階と、前記ラッチされた画素データをアナログ画素データに変換する段階とをさらに含むことを特徴とする請求項４３記載のデータ駆動集積回路の駆動方法。
【請求項５２】
前記データ出力チャンネルを選択する段階は一番目の出力チャンネルから順方向へ I、J、K、N番目の出力チャンネルの中からいずれかまでを前記データ出力チャンネルで選択する段階を含むことを特徴とする請求項５１記載のデータ駆動集積回路の駆動方法。
【請求項５３】
前記データ出力チャンネルを選択する段階は前記 I番目、J番目、K番目及び N番目の出力チャンネルにそれぞれ対応する W番目、X番目、 Y番目、Z番目(ここで、W、X、Y、Zは定数)のシフトレジスタの中からいずれかの出力信号を次端データ駆動集積回路に供給する段階を含むことを特徴とする請求項５２記載のデータ駆動集積回路の駆動方法。
【請求項５４】
前記データ出力チャンネルを選択する段階は前記N番目の出力チャンネルから逆方向へ第I１、第J１、第K１、第N１番目の中からいずれかまでを前記データ出力チャンネルで選択する段階を含むことを特徴とする請求項５２記載のデータ駆動集積回路の駆動方法。
【請求項５５】
前記データ出力チャンネルを選択する段階は前記 I１番目、J１番目、K１番目及び N１番目の出力チャンネルにそれぞれ対応する W番目、X番目、Y番目、Z番目のシフトレジスタの中からいずれかにスタートパルスを供給する段階を含むことを特徴とする請求項５４記載のデータ駆動集積回路の駆動方法。
【請求項５６】
表示装置で要求される解像度を決める段階と、前記要求される解像度に沿ってデータ駆動集積回路の出力チャンネルからデータラインと接続されるデータ出力チャンネルを選択する段階と、前記データ出力チャンネルを通じて前記データラインで画素データを供給して、前記非選択された出力チャンネルには画素データを供給しない段階と、スキャンラインをイネーブルさせる段階と、前記イネーブルされたスキャンラインと接続された液晶セル前記データラインからの画素データを供給する段階とを含むことを特徴とする液晶表示装置の駆動方法。
【請求項５７】
前記非選択された出力チャンネルをフローティングさせる段階をさらに含むことを特徴とする請求項５６記載の液晶表示装置の駆動方法。
【請求項５８】
前記非選択された出力チャンネルを一定像数の電圧に設定する段階を含むことをさらに特徴とする請求項５６記載の液晶表示装置の駆動方法。
【請求項５９】
前記データ出力チャンネルを選択するためのチャンネル選択信号を発生する段階をさらに含むことを特徴とする請求項５６記載の液晶表示装置の駆動方法。
【請求項６０】
前記選択されたデータ出力チャンネルの数は前記選択制御信号に沿って可変させる段階をさらに含むことを特徴とする請求項５６記載の液晶表示装置の駆動方法。
【請求項６１】
前記選択されたデータ出力チャンネルの数を可変させる段階は第１乃至第４論理値の中からいずれかを発生する段階を含んで、前記第４論理値であればI(Iは定数)個のデータ出力チャンネルを、前記第３論理値であれば前記 I より小さな J個のデータ出力チャンネルを、前記第２論理値であれば前記 J より K個のデータ出力チャンネルを、前記第１論理値であれば前記 K より小さなM個のデータ出力チャンネルを選択することを特徴とする請求項６０記載の液晶表示装置の駆動方法。
【請求項６２】
前記選択されたデータ出力チャンネルの数を可変させる段階は第１及び第２論理値の中からいずれかを発生する段階を含んで、前記第２論理値であればI(Iは定数)個のデータ出力チャンネルを、前記第１論理値であれば前記 I より小さな J個のデータ出力チャンネルを選択することを特徴とする請求項６０記載の液晶表示装置の駆動方法。
【発明の詳細な説明】
【技術分野】
【０００１】
本発明は液晶表示装置に関し、特に作業性の向上及び製造費用を節減することができるようにしたデータ駆動集積回路及びその駆動方法と、それを利用した液晶表示装置及びその駆動方法に関する。
【背景技術】
【０００２】
通常の液晶表示装置は電界を利用して液晶の光透過率を調節することで画像を表示する。
これのために、液晶表示装置は図１に示されたところのように液晶セルなどがマトリックス形態で配列された液晶パネル（２）と、液晶パネル（２）のゲートラインなど（ＧＬ１乃至ＧＬｎ）を駆動するためのゲート・ドライバ（６）と、液晶パネル（２）のデータラインなど（ＤＬ１乃至ＤＬｍ）を駆動するためのデータ・ドライバ（４）と、ゲート・ドライバ（６）とデータ・ドライバ（４）を制御するためのタイミング制御部（８）とを具備する。
【０００３】
液晶パネル（２）はゲートラインなど（ＧＬ１乃至ＧＬｎ）とデータラインなど（ＤＬ１乃至ＤＬｍ）の交差部毎に形成された薄膜トランジスタ（ＴＦＴ）と、薄膜トランジスタ（ＴＦＴ）と接続された液晶セル（７）とを具備する。薄膜トランジスタ（ＴＦＴ）はゲートライン（ＧＬ）からのスキャン信号、即ちゲート・ハイ電圧（ＶＧＨ）が供給される場合、ターン・オンされてデータライン（ＤＬ）からの画素信号を液晶セル（７）に供給する。そして、薄膜トランジスタ（ＴＦＴ）はゲートライン（ＧＬ）からゲート・ロー電圧（ＶＧＬ）が供給される場合、ターン・オフされて液晶セル（７）に充電された画素信号が維持されるようにする。
【０００４】
液晶セル（７）は等価的に液晶容量のキャパシティで表現されて、液晶を間に置いて対面する共通電極と 薄膜トランジスタ（ＴＦＴ）に接続された画素電極を含む。そして、液晶セル（７）は充電された画素信号が次の画素信号が充電される際まで安定的に維持されるようにするためにストレージ・キャパシティとを更に具備する。このストレージ・キャパシティは画素電極と以前段のゲートラインの間に形成される。このような液晶セル（７）は薄膜トランジスタ（ＴＦＴ）を通して充電される画素信号につれて誘電異方性を有する液晶の配列状態が可変して光透過率を調節することでグラデーションを具現するようになる。
【０００５】
タイミング制御部（８）は図示されないビデオ・カードから供給される同期信号（Ｖ，Ｈ）を利用してゲート制御信号など（ＧＳＰ，ＧＳＣ，ＧＯＥ）及びデータ制御信号など（ＳＳＰ，ＳＳＣ，ＳＯＥ，ＰＯＬ）を発生する。ゲート制御信号など（ＧＳＰ，ＧＳＣ，ＧＯＥ）はゲート・ドライバ（６）に供給されてゲート・ドライバを制御するようになり、データ制御信号など（ＳＳＰ，ＳＳＣ，ＳＯＥ，ＰＯＬ）はデータ・ドライバ（４）に供給されてデータ・ドライバを除去するようになる。共に、タイミング制御部（８）は赤色（Ｒ）、緑色（Ｇ）及び青色（Ｂ）の画素データ（ＶＤ）を整列してデータ・ドライバ（４）に供給する。
【０００６】
ゲート・ドライバ（６）はゲートラインなど（ＧＬ１乃至ＧＬｎ）を順次に駆動させる。このために、ゲート・ドライバ（６）は図２ａのように多数のゲート集積回路（以下、”ＩＣ”という）（１０）とを具備する。ゲートＩＣ（１０）などは自分に接続されたゲートラインなど（ＧＬ１乃至ＧＬｎ）をタイミング制御部（８）からの制御によって順次に駆動させる。もう一度言って、ゲートＩＣ（１０）などはタイミング制御部（８）から供給されるゲート制御信号など（ＧＳＰ，ＧＳＣ，ＧＯＥ）に応答してゲートラインなど（ＧＬ１乃至ＧＬｎ）に順次にゲート・ハイ電圧（ＶＧＨ）を順次に供給する。
【０００７】
具体的に、ゲート・ドライバ（６）はゲート・スタート・パルス（ＧＳＰ）をゲート・シフト・クラック（ＧＳＣ）につれてシフトさせてシフトパルスを発生する。そして、ゲート・ドライバ（６）はシフト・パルスに応答して水平期間毎に当たるゲートライン（ＧＬ）にゲート・ハイ電圧（ＶＧＨ）を供給するようになる。即ち、シフトパルスは水平期間毎に一ラインずつシフトされて、ゲートＩＣ（１０）などの中のいずれか一つはシフトパルスに対応されて当たるゲートライン（ＧＬ）にゲート・ハイ電圧（ＶＧＨ）を供給する。この場合、ゲートＩＣ（１０）などはゲートラインなど（ＧＬ１乃至ＧＬｎ）にゲート・ハイ電圧（ＶＧＨ）が供給されない残りの期間ではゲート・ロー電圧（ＶＧＬ）を供給する。
【０００８】
データ・ドライバ（４）は水平期間毎に１ライン分ずつの画素信号をデータラインなど（ＤＬ１乃至ＤＬｍ）に供給する。このために、データ・ドライバ（４）は図２ｂのように多数のデータＩＣ（１６）などを具備する。データＩＣ（１６）などはタイミング制御部（８）から供給されるデータ制御信号など（ＳＳＰ，ＳＳＣ，ＳＯＥ，ＰＯＬ）に応答してデータラインなど（ＤＬ１乃至ＤＬｍ）に画素信号を供給する。この際、データＩＣ（１６）などはタイミング制御部（８）からの画素データ（ＶＤ）をガンマ電圧発生部（図示しない）からのガンマ電圧を利用してアナログ画素信号に変換して出力する。
【０００９】
具体的に、データＩＣ（１６）などはソース・スタート・パルス（ＳＳＰ）をソース・シフト・クラック（ＳＳＣ）につれてシフトさせてサンプリング信号を発生する。続いて、データＩＣ（１６）などはサンプリング信号に応答して画素データ（ＶＤ）を一定の単位ずつ順次にラッチする。以後、ラッチされた１ライン分の画素データ（ＶＤ）をアナログ画素信号に変換してソース出力エナーブル信号（ＳＯＥ）のエナーブル期間にデータラインなど（ＤＬ１乃至ＤＬｍ）に供給するようになる。この場合、データＩＣ（１６）などは画素データ（ＶＤ）を極性制御信号（ＰＯＬ）に応答して正極性または負極性の画素信号に変換するようになる。
【００１０】
このために、データＩＣ（１６）などのそれぞれは図３に示すように順次のサンプリング信号を供給するシフト・レジスタ部（３４）と、サンプリング信号に応答して画素データ（ＶＤ）を順次にラッチして同時に出力するラッチ部（３６）と、ラッチ部（３６）からの画素データ（ＶＤ）を画素電圧信号に変換するデジタル・アナログ変換部（以下、”ＤＡＣ部”という）（３８）と、ＤＡＣ（３８）からの画素電圧信号を緩衝して出力する出力バッファ部（４６）とを具備する。また、データＩＣ（１６）などはタイミング制御部（８）から供給される各種の制御信号など（ＳＳＰ，ＳＳＣ，ＳＯＥ，ＲＥＶ，ＰＯＬなど）と画素データ（ＶＤ）を中継する信号制御部（２０）と、ＤＡＣ部（３８）で必要とする正極性及び負極性のガンマ電圧などを供給するガンマ電圧部（３２）とを更に具備する。
【００１１】
信号制御部（２０）はタイミング制御部（図示しない）からの各種の制御信号など（ＳＳＰ，ＳＳＣ，ＳＯＥ，ＲＥＶ，ＰＯＬなど）と画素データ（ＶＤ）が当たる構成要素などで出力されるように制御する。
【００１２】
ガンマ電圧部（３２）はガンマ基準電圧の発生部（図示しない）から入力される多数このガンマ基準電圧をグレイ別に細分化して出力する。
【００１３】
シフト・レジスタ部（３４）に含まれたシフト・レジスタなどは信号制御部（２０）からのソース・スタート・パルス（ＳＳＰ）をソース・シフト・クラック（ＳＳＣ）につれてシフトさせてサンプリング信号に出力する。
【００１４】
ラッチ部（３６）はシフト・レジスタ部（３４）からのサンプリング信号に応答して信号制御部（２０）からの画素データ（ＶＤ）を一定単位ずつ順次にサンプリングしてラッチするようになる。このために、ラッチ部（３６）はｉ（ｉは自然数）個の画素データ（ＶＤ）をラッチするためにｉ個のラッチなどで構成されて、ラッチなどのそれぞれは画素データ（ＶＤ）のビット数に対応する大きさを有する。特に、タイミング制御部（８）は伝送周波数を減らすために画素データ（ＶＤ）をイーブン画素データ（ＶＤｅｖｅｎ）とオード画素データ（ＶＤｏｄｄ）に分けてそれぞれの伝送ラインを通して同時に出力するようになる。ここで、イーブン画素データとオード画素データのそれぞれは赤（Ｒ），緑（Ｇ），青（Ｂ）画素データを含む。これにつれてラッチ部（３６）はサンプリング信号毎に信号制御部（２０）を経由して供給されるイーブン画素データとオード画素データを同時にラッチするようになる。続いて、ラッチ部（３６）は信号制御部（２０）からのソース出力エナーブル信号（ＳＯＥ）に応答してラッチされたｉ個の画素データ（ＶＤ）を同時に出力する。この場合、ラッチ部（３６）はデータ反転選択信号（ＲＥＶ）に応答してトランジション・ビット数が減らすように変造された画素データ（ＶＤ）などを復元させて出力するようになる。これはタイミング制御部（８）でデータ伝送の際に電磁気的な干渉（ＥＭＩ）を最小化するためにトランジションされるビット数が基準値を越す画素データ（ＶＤ）などはトランジション・ビット数が減るように変造して供給するためである。
【００１５】
ＤＡＣ部（３８）はラッチ部（３６）からの画素データ（ＶＤ）を同時に正極性及び負極性の画素電圧信号に変換して出力するようになる。このために、ＤＡＣ部（３８）はラッチ部（３６）に共通接続されたＰ（Ｐｏｓｉｔｉｖｅ）デコーディング部（４０）及びＮ（Ｎｅｇａｔｉｖｅ）デコーディング部（４２）と、Ｐデコーディング部（４０）およびＮデコーディング部（４２）の出力信号を選択するためのマルチプレクサ（ＭＵＸ；４４）とを具備する。
【００１６】
Ｐデコーディング部（４０）に含まれるｎ個のＰデコーダーなどはラッチ部（３６）から同時に入力されるｎ個の画素データなどをガンマ電圧部（３２）からの正極性のガンマ電圧などを利用して正極性画素電圧信号に変換するようになる。Ｎデコーディング部（４２）に含まれるｉ個のＮデコーダーなどはラッチ部（３６）から同時に入力されるｉ個の画素データなどをガンマ電圧部（３２）からの負極性ガンマ電圧などを利用して負極性の画素電圧信号に変換するようになる。マルチプレクサ部（４４）に含まれるｉ個のマルチプレクサなどは信号制御部（２０）からの極性制御信号（ＰＯＬ）に応答してＰデコーダー（４０）からの正極性の画素電圧信号またはＮデコーダー（４２）からの負極性の画素電圧信号を選択して出力するようになる。
【００１７】
出力バッファ部（４６）に含まれるｉ個の出力バッファなどはｉ個のデータラインなど（ＤＬ１乃至ＤＬｉ）などに直列にそれぞれ接続された電圧ホロワーなどで構成される。このような出力バッファなどはＤＡＣ部（１３８）の画素電圧信号などを信号緩衝してデータラインなど（ＤＬ１乃至ＤＬｉ）に供給するようになる。
【００１８】
このような従来の液晶表示装置は液晶パネル（２）の解像図につれてデータ・ドライバ（４）が具備するデータＩＣ（１６）の出力チャンネルが違ってくる。これは、液晶パネル（２）の解像図別にデータライン（ＤＬ）に接続されることができる一定のチャンネルを有するデータＩＣ（１６）などが違ってくるためである。これにつれて、液晶パネル（２）の解像図別に相互異なる出力チャンネルを有する相互異なる数のデータＩＣ（１６）などを使用することで作業性の低下及び製造費用が浪費される短所がある。
【００１９】
これを詳細に説明すると、液晶パネル（２）の解像図がＸＧＡ級（１０２４×３）である液晶表示装置は３０７２個のデータライン（ＤＬ）数を有することで７６８個のデータ出力チャンネルを有する四つのデータＩＣ（１６）が必要になる。また、液晶パネル（２）の解像図がＳＸＧＡ＋級（１４００×３）である液晶表示装置は４２００個のデータライン（ＤＬ）数を有するので７０２個のデータ出力チャンネルを有する六つのデータＩＣ（１６）が必要にするようになる。この際、残りの１２個のデータ出力チャンネルはダミーラインに処理される。また、液晶パネル（２）の解像図がＷＸＧＡ級（１２９０×３）である液晶表示装置は３８４０個のデータライン（ＤＬ）の数を有するので６４２個の出力チャンネルを有する六つのデータＩＣ（１６）が必要になる。この際、残る１２個の出力チャンネルはダミーラインに処理される。このために、液晶パネル（２）の解像図別に相互異なる出力チャンネルを有する異なるデータＩＣ（１６）などを使用すべきである。これにつれて、従来の液晶表示装置では作業性の低下及び低下及び製造比率の浪費される短所がある。
【発明の開示】
【発明が解決しようとする課題】
【００２０】
従って、本発明の目的は作業性の向上及び製造費用を節減することができるようにしたデータ駆動集積回路及びその駆動方法と、それを利用した液晶表示装置及びその駆動方法を提供することである。
また、本発明の異なる目的は液晶パネルの解像図につれてデータ集積回路の出力チャンネルを制御することができるようにしたデータ駆動集積回路及びその駆動方法と、それを利用した液晶表示装置及びその駆動方法を提供することにある。
【課題を解決するための手段】
【００２１】
前記目的を達成するために、本発明の実施例によるデータ駆動集積回路は多数の出力チャンネルと、前記表示装置の解像度に沿って前記データラインの数に対応して前記画素データを供給するデータ出力チャンネルを前記多数の出力チャンネルから選択する選択部を具備して、他の出力チャンネルには画素データが供給されないことを特徴とする。 
【００２２】
前記選択部は前記データ出力チャンネルを決めるためのチャンネル選択信号を発生する第１及び第２オプションピンを具備する。 
前記選択部は前記チャンネル選択信号に沿って前記データ出力チャンネルの数を調節する。 
【００２３】
前記選択部は第１乃至第４論理値を発生して、前記第４論理値であれば前記出力チャンネルの総数N(Nは定数)より小さな I個を、前記第３論理値であれば前記 I より小さな J個を、前記第２論理値であれば前記 J より小さな K個を、前記第１論理値であれば前記 K より小さな M個を前記データ出力チャンネルで選択する。 
前記 I個は６４２個のデータ出力チャンネルを、前記 J個は６３０個のデータ出力チャンネルを、前記 K個は６１８個のデータ出力チャンネルを、前記 M個は６００個のデータ出力チャンネルを含む。 
【００２４】
前記第４論理値は６４３番目からN番目出力チャンネルまで、前記第３論理値は６３１番目からN番目出力チャンネルまで、前記第２論理値は ６１９番目からN番目出力チャンネルまで、前記第１論理値は６０１番目から N番目出力チャンネルまでデ−セイブルさせる。 
【００２５】
及び、本発明のデータ駆動集積回路はサンプリング信号を順次的に供給するシフトレジスタ部と、前記シフトレジスタ部からのサンプリング信号に沿って画素データをラッチするためのラッチと、前記ラッチからの前記画素データをアナログ画素データに変換するデジタル-アナログ変換部と、前記デジタル-アナログ変換部からの前記画素データをバッファリングして前記多数のデータラインに出力するためのバッファ部とをもっと具備する。 
【００２６】
前記デジタル-アナログ変換部に正極性及び負極性ガンマ電圧を供給するガンマ電圧部をさらに具備する。 
前記デジタル-アナログ変換部は、前記画素データを正極性画素データに変換するための正極性部と、前記画素データを負極性画素データに変換するための負極性部と、前記正極性部及び負極性部の出力を選択するマルチフレクサーとを具備する。 
前記データ出力チャンネルの数はプログラム化される。 
【００２７】
前記選択部は第１及び第２論理値を発生して、前記第１論理値であれば前記出力チャンネルの総数 N(Nは定数)より小さな I個の出力チャンネルを、前記第２論理値であれば前記 I個より小さな J個の出力チャンネルを前記データ出力チャンネルで選択する。 
【００２８】
本発明の実施例によるデータ駆動集積回路はデータ出力チャンネル及びダミー出力チャンネルを含むN(Nは前記多数のデータライン以上の定数)個の出力チャンネルと、前記表示装置で要求される解像度に沿って前記画素データが供給される前記データ出力チャンネルを選択する選択部を具備して、前記ダミー出力チャンネルには前記画素データが供給されないことを特徴とする。
【００２９】
前記データ出力チャンネルを選択するためのチャンネル選択信号を発生する選択信号発生部をさらに具備する。 
【００３０】
前記選択信号発生部は電圧源及び基底電圧源に接続されて前記チャンネル選択信号を発生する第１及び第２選択端子を具備する。 
【００３１】
前記データ出力チャンネルは前記多数のデータラインの数、前記表示装置でのデータ駆動集積回路の数、前記データ駆動集積回路が実裝されたテープキャリアパッケージの幅、前記画素データの入力ライン数の中から少なくともいずれかの条件に沿って設定される。 
【００３２】
前記チャンネル選択部は前記チャンネル選択信号に応答して I(I<N)個またはJ(J<I)個のデータ出力チャンネルを選択する。 
【００３３】
前記チャンネル選択部は前記チャンネル選択信号に応答して I、J、K、N(ただ、I<J<K<N)個のデータ出力チャンネルの中からいずれかを選択する。 
【００３４】
前記チャンネル選択部は前記出力チャンネルの中で一番目出力チャンネルから順方向へ I、J、K、N番目の中からいずれかまでを前記データ出力チャンネルで選択して、他の出力チャンネルは前記ダミー出力チャンネルになるようにする。 
【００３５】
及び、本発明のデータ駆動集積回路は前記画素データをシフトさせるためのサンプリング信号を発生するシフトレジスタをさらに具備して、前記チャンネル選択部は前記I番目、J番目、K番目及び N番目出力チャンネルにそれぞれ対応するW番目、X番目、Y番目、Z番目(ここで、W、X、Y、Zは定数)シフトレジスタの中からいずれかの出力信号を次端データ駆動集積回路で供給する。 
【００３６】
前記チャンネル選択部は前記 N番目出力チャンネルから逆方向で第I１、第J１、第K１、第N１番目の中からいずれかまでを前記データ出力チャンネルで、他の出力チャンネルは前記ダミー出力チャンネルで選択する。 
【００３７】
本発明のデータ駆動集積回路は前記画素データをシフトさせるためのサンプリング信号を発生するシフトレジスタをさらに具備して、前記チャンネル選択部は前記I１番目、J１番目、K１番目及び N１番目の出力チャンネルにそれぞれ対応する W番目、X番目、Y番目、Z番目のシフトレジスタの中からいずれかにスタートパルスを供給する。 
【００３８】
前記選択信号発生部は前記チャンネル選択信号を発生するスイッチを具備する。 
前記選択信号発生部は前記チャンネル選択信号を発生するディープスイッチを具備する。 
【００３９】
前記ダミー出力チャンネルはフローティングされる。 
前記ダミー出力チャンネルは一定常数の電圧に設定される。 
前記データ出力チャンネルの数はプログラム化される。 
【００４０】
本発明の実施例によるデータ駆動集積回路は多数の出力チャンネルと、前記多数の出力チャンネルを前記多数のデータラインと接続されるデータ出力チャンネルと、フローティングされるダミー出力チャンネルに分離するチャンネル選択部を具備する。 
【００４１】
本発明の実施例によるデータ駆動集積回路は多数のデータラインを多数のグループに分割駆動する多数のデータ駆動集積回路のそれぞれにおいて、多数の出力チャンネルと、前記多数の出力チャンネルの中で前記分割されたグループのデータラインと接続されて画素データを供給するためのデータ出力チャンネルを選択するチャンネル選択部を具備して、他の出力チャンネルには画素データが供給されないことを特徴とする。 
【００４２】
本発明の実施例による液晶表示装置はデータライン及びゲートラインと接続された液晶セルを持つ液晶パネルと、多数の出力チャンネルの中でデータ出力チャンネルを通じて前記データラインで画素データを供給するデータ駆動集積回路と、前記ゲートラインを駆動するゲート駆動集積回路と、前記データラインの数に沿って前記データ駆動集積回路のデータ出力チャンネルを選択するチャンネル選択部と、前記データ駆動集積回路及びゲート駆動集積回路を制御するタイミング制御部とを具備する。 
【００４３】
前記ダミー出力チャンネルを選択するためのチャンネル選択信号を発生して供給する選択信号発生部をもっと具備する。 
【００４４】
前記チャンネル選択部は前記データ駆動集積回路に内蔵して、前記選択信号発生部は電圧源及び基底電圧源に接続されて前記チャンネル選択信号を発生して前記内蔵したチャンネル選択部に供給する前記データ駆動集積回路の第１及び第２選択端子を具備する。 
【００４５】
前記データ出力チャンネルは前記データラインの数、前記データ駆動集積回路の数、前記データ駆動集積回路が実裝されたテープキャリアパッケージの幅、前記タイミング制御部と前記データ駆動集積回路の間のデータ送信ライン数の中から少なくともいずれかの条件に沿って設定される。 
【００４６】
前記チャンネル選択部は前記チャンネル選択信号に応答して I(I<N)個またはJ(J<I)個のデータ出力チャンネルを選択する。 
前記チャンネル選択部は前記チャンネル選択信号に応答してI、 J、K、N(ただ、I<J<K<N)個のデータ出力チャンネルの中からいずれかを選択する。 
前記チャンネル選択部は前記出力チャンネルの中で一番目の出力チャンネルから順方向へ I、J、K、N番目の中からいずれかまでを前記データ出力チャンネルで選択して、他の出力チャンネルは前記ダミー出力チャンネルになるようにする。 
【００４７】
前記データ駆動集積回路は前記画素データをシフトさせるためのサンプリング信号を発生するシフトレジスタをさらに具備して、前記チャンネル選択部は前記 I番目、J番目、K番目及び N番目の出力チャンネルにそれぞれ対応するW番目、X番目、Y番目、Z番目(ここで、W、X、Y、Zは定数)シフトレジスタの中からいずれかの出力信号を次端データ駆動集積回路に供給する。 
【００４８】
前記チャンネル選択部は前記N番目の出力チャンネルから逆方向で第I１、第J１、第K１、第N１番目の中からいずれかまでを前記データ出力チャンネルで、他の出力チャンネルは前記ダミー出力チャンネルで選択する。 
【００４９】
前記データ駆動集積回路は前記画素データをシフトさせるためのサンプリング信号を発生するシフトレジスタをさらに具備して、前記チャンネル選択部は前記 I１番目、J１番目、K１番目及び N１番目の出力チャンネルにそれぞれ対応する W番目、X番目、Y番目、Z番目のシフトレジスタの中からいずれかにスタートパルスを供給する。 
【００５０】
前記選択信号発生部は前記チャンネル選択信号を発生するスイッチを具備する。 
前記選択信号発生部は前記チャンネル選択信号を発生するディープスイッチを具備する。 
【００５１】
本発明の実施例によるデータ駆動集積回路の駆動方法は表示装置で要求される解像度を決める段階と、N個の出力チャンネルの中で前記要求される解像度に沿って多数のデータラインと接続されて画素データを供給するためのM(MはNより小さいとか同様)個のデータ出力チャンネルと、画素データを供給しない(N-M)個のダミー出力チャンネルを選択する段階とを含む。 
【００５２】
前記M個のデータ出力チャンネルを選択する段階は前記データ駆動集積回路のオプションピンを利用する段階を含む。 
前記M個のデータ出力チャンネルを選択する段階は 第１乃至第４論理値の中からいずれかを供給する段階を含む。 
前記M個のデータ出力チャンネルを通じて前記多数のデータラインで前記画素データを供給する段階をさらに含む。 
【００５３】
及び、本発明の駆動方法は前記ダミー出力チャンネルをフローティングさせる段階をさらに含む。 
一方、本発明の駆動方法は前記ダミー出力チャンネルを一定常数の電圧に設定する段階を含む。 
【００５４】
また、本発明の駆動方法は前記データ出力チャンネルを選択するためのチャンネル選択信号を発生する段階をさらに含む。
【００５５】
前記データ出力チャンネルを選択する段階は I、J、K、N(ただ、I<J<K<N)個のデータ出力チャンネルの中からいずれかを選択する段階を含む。 
【００５６】
及び、本発明の駆動方法はスタートパルスをシフトさせてサンプリング信号を発生する段階と、前記サンプリング信号に応答して画素データをラッチする段階と、前記ラッチされた画素データをアナログ画素データに変換する段階とをさらに含む。 
【００５７】
前記データ出力チャンネルを選択する段階は一番目の出力チャンネルから順方向へ I、J、K、N番目の出力チャンネルの中からいずれかまでを前記データ出力チャンネルで選択する段階を含む。   前記データ出力チャンネルを選択する段階は前記 I番目、J番目、K番目及び N番目の出力チャンネルにそれぞれ対応する W番目、X番目、 Y番目、Z番目(ここで、W、X、Y、Zは定数)のシフトレジスタの中からいずれかの出力信号を次端データ駆動集積回路に供給する段階を含む。 
前記データ出力チャンネルを選択する段階は前記N番目の出力チャンネルから逆方向へ第I１、第J１、第K１、第N１番目の中からいずれかまでを前記データ出力チャンネルで選択する段階を含む。 
前記データ出力チャンネルを選択する段階は前記 I１番目、J１番目、K１番目及び N１番目の出力チャンネルにそれぞれ対応する W番目、X番目、Y番目、Z番目のシフトレジスタの中からいずれかにスタートパルスを供給する段階を含む。 
【００５８】
本発明の実施例による液晶表示装置の駆動方法は表示装置で要求される解像度を決める段階と、前記要求される解像度に沿ってデータ駆動集積回路の出力チャンネルからデータラインと接続されるデータ出力チャンネルを選択する段階と、前記データ出力チャンネルを通じて前記データラインで画素データを供給して、前記非選択された出力チャンネルには画素データを供給しない段階と、スキャンラインをイネーブルさせる段階と、前記イネーブルされたスキャンラインと接続された液晶セル前記データラインからの画素データを供給する段階とを含む。 
【００５９】
前記非選択された出力チャンネルをフローティングさせる段階をさらに含む。 
前記非選択された出力チャンネルを一定像数の電圧に設定する段階を含む。 
前記データ出力チャンネルを選択するためのチャンネル選択信号を発生する段階をさらに含む。 
【００６０】
前記選択されたデータ出力チャンネルの数は前記選択制御信号に沿って可変させる段階をさらに含む。 
前記選択されたデータ出力チャンネルの数を可変させる段階は第１乃至第４論理値の中からいずれかを発生する段階を含んで、前記第４論理値であればI(Iは定数)個のデータ出力チャンネルを、前記第３論理値であれば前記 I より小さな J個のデータ出力チャンネルを、前記第２論理値であれば前記 J より K個のデータ出力チャンネルを、前記第１論理値であれば前記 K より小さなM個のデータ出力チャンネルを選択する。 
前記選択されたデータ出力チャンネルの数を可変させる段階は第１及び第２論理値の中からいずれかを発生する段階を含んで、前記第２論理値であればI(Iは定数)個のデータ出力チャンネルを、前記第１論理値であれば前記 I より小さな J個のデータ出力チャンネルを選択する。
【発明を実施するための最良の形態】
【００６１】
［実施例］ 
以下、本発明の実施例を添付した図４乃至図１６を参照して詳細に説明する。
【００６２】
図４を参照すると、本発明の第１実施例による液晶表示装置はデータラインなど（ＤＬ１乃至ＤＬｍ）とゲートラインなど（ＧＬ１乃至ＧＬｎ）の交差部毎に液晶セルが形成された液晶パネル（１０２）と、Ｎ（ただ、Ｎは陽の正数）個の出力チャンネルなどを有して出力チャンネルなどを通してＮ個以下のデータラインなどに画素データを供給する多数のデータＩＣ（１１６）を含むデータ・ドライバ（１０４）と、ゲートラインなど（ＧＬ１乃至ＧＬｎ）に順次にスキャンパルスを供給するための多数のゲート集積回路を含むゲート・ドライバ（１０６）と、データラインなど（ＤＬ１乃至ＤＬｍ）の数につれて画素データを出力する多数のデータＩＣ（１１６）の出力チャンネルを選択するチャンネル選択部と、データ・ドライバ（１０４）及びゲート・ドライバ（１０６）のそれぞれの駆動タイミングを制御すると共に選択された出力チャンネルに対応されるデータを多数のデータ集積回路など（１１６）のそれぞれに供給するタイミング制御部（１０８）とを具備する。
【００６３】
液晶パネル（１０２）はゲートラインなど（ＧＬ１乃至ＧＬｎ）とデータラインなど（ＤＬ１乃至ＤＬｍ）の交差部毎に形成された薄膜トランジスタ（ＴＦＴ）と、薄膜トランジスタ（ＴＦＴ）と接続された液晶セル（図示しない）とを具備する。薄膜トランジスタ（ＴＦＴ）はゲートライン（ＧＬ）からのスキャン信号、即ちゲート・ハイ電圧（ＶＧＨ）が供給される場合、ターン・オンされてデータライン（ＤＬ）からの画素信号を液晶セルに供給する。そして、薄膜トランジスタ（ＴＦＴ）はゲートライン（ＧＬ）からゲート・ロー電圧（ＶＧＬ）が供給される場合、ターン・オフされて液晶セルに充電された画素信号が維持されるようにする。
【００６４】
液晶セルは等価的に液晶容量のキャパシティで表現されて、液晶を間に置いて対面する共通電極と 薄膜トランジスタ（ＴＦＴ）に接続された画素電極を含む。そして、液晶セルは充電された画素信号が次の画素信号が充電される際まで安定的に維持されるようにするためにストレージ・キャパシティとを更に具備する。このストレージ・キャパシティは画素電極と以前段のゲートラインの間に形成される。このような液晶セル（７）は薄膜トランジスタ（ＴＦＴ）を通して充電される画素信号につれて誘電異方性を有する液晶の配列状態が可変して光透過率を調節することでグラデーションを具現するようになる。
【００６５】
タイミング制御部（１０８）は図示されないビデオ・カードから供給される同期信号（Ｖ，Ｈ）を利用してゲート制御信号など（ＧＳＰ，ＧＳＣ，ＧＯＥ）及びデータ制御信号など（ＳＳＰ，ＳＳＣ，ＳＯＥ，ＰＯＬ）を発生する。ゲート制御信号など（ＧＳＰ，ＧＳＣ，ＧＯＥ）はゲート・ドライバ（１０６）に供給されてゲート・ドライバを制御するようになり、データ制御信号など（ＳＳＰ，ＳＳＣ，ＳＯＥ，ＰＯＬ）はデータ・ドライバ（１０４）に供給されてデータ・ドライバを除去するようになる。共に、タイミング制御部（１０８）は赤色（Ｒ）、緑色（Ｇ）及び青色（Ｂ）の画素データ（ＶＤ）を整列してデータ・ドライバ（１０４）に供給する。
【００６６】
ゲート・ドライバ（１０６）はゲートラインなど（ＧＬ１乃至ＧＬｎ）を順次に駆動させる。このために、ゲート・ドライバ（１０６）は多数のゲートＩＣ（図示しない）とを具備する。ゲートＩＣなどは自分に接続されたゲートラインなど（ＧＬ１乃至ＧＬｎ）をタイミング制御部（１０８）からの制御によって順次に駆動させる。即ち、ゲートＩＣなどはタイミング制御部（１０８）から供給されるゲート制御信号など（ＧＳＰ，ＧＳＣ，ＧＯＥ）に応答してゲートラインなど（ＧＬ１乃至ＧＬｎ）に順次にゲート・ハイ電圧（ＶＧＨ）を順次に供給する。
【００６７】
具体的に、ゲート・ドライバ（１０６）はゲート・スタート・パルス（ＧＳＰ）をゲート・シフト・クラック（ＧＳＣ）につれてシフトさせてシフトパルスを発生する。そして、ゲート・ドライバ（１０６）はシフト・パルスに応答して水平期間毎に当たるゲートライン（ＧＬ）にゲート・ハイ電圧（ＶＧＨ）を供給するようになる。即ち、シフトパルスは水平期間毎に一ラインずつシフトされて、ゲートＩＣなどの中のいずれか一つはシフトパルスに対応されて当たるゲートライン（ＧＬ）にゲート・ハイ電圧（ＶＧＨ）を供給する。この場合、ゲートＩＣ（１０）などはゲートラインなど（ＧＬ１乃至ＧＬｎ）にゲート・ハイ電圧（ＶＧＨ）が供給されない残りの期間ではゲート・ロー電圧（ＶＧＬ）を供給する。
【００６８】
データ・ドライバ（１０４）は水平期間毎に１ライン分ずつの画素信号をデータラインなど（ＤＬ１乃至ＤＬｍ）に供給する。このために、データ・ドライバ（１０４）は多数のデータＩＣ（１１６）などを具備する。データＩＣ（１１６）などのそれぞれはテープ・キャリアー・パッケージ（以下、”データＴＣＰ”という）（１１０）の上に実装される。このような、データＩＣ（１１６）などは電気的に接続される。そして、データＩＣ（１１６）などはタイミング制御部（１０８）から供給されるデータ制御信号など（ＳＳＰ，ＳＳＣ，ＳＯＥ，ＰＯＬ）に応答してデータラインなど（ＤＬ１乃至ＤＬｍ）に画素信号を供給する。この際、データＩＣ（１１６）などはタイミング制御部（１０８）からの画素データ（ＶＤ）をガンマ電圧発生部（図示しない）からのガンマ電圧を利用してアナログ画素信号に変換して出力する。
【００６９】
具体的に、データＩＣ（１１６）などはソース・スタート・パルス（ＳＳＰ）をソース・シフト・クラック（ＳＳＣ）につれてシフトさせてサンプリング信号を発生する。続いて、データＩＣ（１１６）などはサンプリング信号に応答して画素データ（ＶＤ）を一定の単位ずつ順次にラッチする。以後、ラッチされた１ライン分の画素データ（ＶＤ）をアナログ画素信号に変換してソース出力エナーブル信号（ＳＯＥ）のエナーブル期間にデータラインなど（ＤＬ１乃至ＤＬｍ）に供給するようになる。この場合、データＩＣ（１１６）などは画素データ（ＶＤ）を極性制御信号（ＰＯＬ）に応答して正極性または負極性の画素信号に変換するようになる。
【００７０】
一方、本発明の第１実施例による液晶表示装置のデータＩＣ（１１６）などのそれぞれは外部から入力される第１及び第２チャンネル選択信号（Ｐ１，Ｐ２）に応答してデータラインなど（ＤＬ１乃至ＤＬｍ）に画素信号を供給するための出力チャンネルを変更するようになる。このために、データＩＣ（１１６）などのそれぞれは第１及び第２チャンネル選択信号（Ｐ１，Ｐ２）が供給される第１及び第２オプションピン（ＯＰ１，ＯＰ２）とを具備する。
【００７１】
第１及び第２オプションピン（ＯＰ１，ＯＰ２）のそれぞれは電圧源（ＶＣＣ）及び基底電圧源（ＧＮＤ）に選択的に接続されて２ビット２進論理値を有するようになる。これにつれて、第１及び第２オプションピン（ＯＰ１，ＯＰ２）を通してデータＩＣ（１１６）に供給される第１及び第２チャンネル選択信号（Ｐ１，Ｐ２）は”００”、”０１”、”１０”及び”１１”の値を有するようになる。
【００７２】
これにつれて、データＩＣ（１１６）などのそれぞれは第１及び第２オプションピン（ＯＰ１，ＯＰ２）を通して供給される第１及び第２チャンネル選択信号（Ｐ１，Ｐ２）につれて液晶パネル（１０２）の解像図につれてすでに設定された出力チャンネルを有するようになる。
【００７３】
このような液晶パネル（１０２）の解像図につれてデータＩＣ（１１６）の出力チャンネルによるデータＩＣ（１１６）の個数を表１に表した。
【表１】
2005173591.tif 000003
【００７４】
表１を参照すると、四つチャンネルですべての解像図を表現することができることがわかる。即ち、ＸＧＡ級の解像図を有する液晶パネル（１０２）では６１８個のデータ出力チャンネルを有する五つのデータＩＣ（１１６）が必要となる。この際、残る１８個のデータ出力チャンネルはダミーラインを処理する。また、ＳＸＧＡ＋級の解像図を有する液晶パネル（１０２）では６００個のデータ出力チャンネルを有する七つのデータＩＣ（１１６）が必要となる。また、ＵＸＧＡ＋級の解像図を有する液晶パネル（１０２）では６００個のデータ出力チャンネルを有する八つのデータＩＣ（１１６）が必要となる。そして、 ＷＸＧＡ＋級の解像図を有する液晶パネル（１０２）では６４２個のデータ出力チャンネルを有する六つのデータＩＣ（１１６）が必要となる。また、ＷＳＸＧＡ―級の解像図を有する液晶パネル（１０２）では６１８個のデータ出力チャンネルを有する七つのデータＩＣ（１１６）が必要となる。また、ＷＳＸＧＡ級の解像図を有する液晶パネル（１０２）では６３０個のデータ出力チャンネルを有する八つのデータＩＣ（１１６）が必要となる。また、ＷＵＸＧＡ級の解像図を有する液晶パネル（１０２）では６４２個のデータ出力チャンネルを有する九つのデータＩＣ（１１６）が必要となる。
【００７５】
これにつれて、本発明の第１実施例による液晶表示装置は第１及び第２チャンネル選択信号（Ｐ１，Ｐ２）につれてデータＩＣ（１１６）の出力チャンネルを６００チャンネル、６１８チャンネル、６３０チャンネル及び６４２チャンネルの中のいずれか一つで設定することで液晶パネル（１０２）のすべての解像図を表現することができる。即ち、本発明の第１実施例による液晶表示装置のデータＩＣ（１１６）は６４２個のデータ出力チャンネルを有するように製造して、第１及び第２オプションピン（ＯＰ１，ＯＰ２）からの第１及び第２チャンネル選択信号（Ｐ１，Ｐ２）につれてデータＩＣ（１１６）の出力チャンネルを設定することで液晶パネル（１０２）のすべての解像図に共用に使用することができる。
【００７６】
これを詳細に説明すると、本発明の第１実施例による液晶表示装置のデータＩＣ（１１６）は６４２個のデータ出力チャンネルを有するように製造される。
【００７７】
第１及び第２オプションピン（ＯＰ１，ＯＰ２）のそれぞれが基底電圧源（ＧＮＤ）に接続されてデータＩＣ（１１６）に供給される第１及び第２チャンネル選択信号（Ｐ１，Ｐ２）の値が”００”である場合にデータＩＣ（１１６）は図５に示されたところのように６４２個のデータ出力チャンネルの中の第１乃至第６００データ出力チャンネルを通して画素電圧信号を出力するようになる。この際、第６０１乃至第６４２出力チャンネルはダミー出力チャンネルになる。また、第１オプションピン（ＯＰ１）が基底電圧源（ＧＮＤ）に接続されると共に第２オプションピン（ＯＰ２）が電圧源（ＶＣＣ）に接続されてデータＩＣ（１１６）に供給される 第１及び第２チャンネル選択信号（Ｐ１，Ｐ２）の値が”０１”である場合にデータＩＣ（１１６）は図６に示されたところのように６４２個のデータ出力チャンネルの中の第１乃至第６１８データ出力チャンネルを通して画素電圧信号を出力するようになる。この際、第６１９乃至第６４２出力チャンネルはダミー出力チャンネルになる。そして、第１オプションピン（ＯＰ１）が電圧源（ＶＣＣ）に接続されると共に第２オプションピン（ＯＰ２）が 基底電圧源（ＧＮＤ）に接続されてデータＩＣ（１１６）に供給される第１及び第２チャンネル選択信号（Ｐ１，Ｐ２）の値が”１０”である場合にデータＩＣ（１１６）は図７に示すように６４２個のデータ出力チャンネルの中の第１乃至第６３０データ出力チャンネルを通して画素電圧信号を出力するようになる。この際、第６３１乃至第６４２出力チャンネルはダミー出力チャンネルになる。最後に、第１及び第２オプションピン（ＯＰ１、ＯＰ２）のそれぞれが電圧源（ＶＣＣ）に接続されてデータＩＣ（１１６）に供給される第１及び第２チャンネル選択信号（Ｐ１，Ｐ２）の値が”１１”である場合にデータＩＣ（１１６）は図８に示されたところのように第１乃至第６４２データ出力チャンネルを通して画素電圧信号を出力するようになる。
【００７８】
このために、本発明の第１実施例による液晶表示装置のデータＩＣ（１１６）は図９に示されたところのように第１及び第２オプションピン（ＯＰ１、ＯＰ２）に供給される第１及び第２チャンネル選択信号（Ｐ１，Ｐ２）につれてデータＩＣ（１１６）の出力チャンネルを設定するためのチャンネル選択部（１３０）と、順次的であるサンプリング信号を供給するためのシフト・レジスタ部（１３４）と、サンプリング信号に応答して画素データ（ＶＤ）を順次にラッチして同時に出力するラッチ部（１３６）と、ラッチ部（１３６）からの画素データ（ＶＤ）を画素電圧信号に変換するデジタル・アナログ変換部（以下、”ＤＡＣ部”という）（１３８）と、ＤＡＣ（１３８）からの画素電圧信号を緩衝して出力する出力バッファ部（１４６）とを具備する。
【００７９】
また、データＩＣ（１１６）などはタイミング制御部（１０８）から供給される各種の制御信号などと画素データ（ＶＤ）を中継する信号制御部（１２０）と、ＤＡＣ部（１３８）で必要とする正極性及び負極性のガンマ電圧などを供給するガンマ電圧部（１３２）とを更に具備する。
信号制御部（１２０）はタイミング制御部（１０８）からの各種の制御信号など（ＳＳＰ，ＳＳＣ，ＳＯＥ，ＲＥＶ，ＰＯＬなど）と画素データ（ＶＤ）が当たる構成要素などで出力されるように制御する。
ガンマ電圧部（１３２）はガンマ基準電圧の発生部（図示しない）から入力される多数このガンマ基準電圧をグレイ別に細分化して出力する。
【００８０】
チャンネル選択部（１３０）は第１及び第２オプションピン（ＯＰ１、ＯＰ２）を通して第１及び第２チャンネル選択信号（Ｐ１，Ｐ２）につれて第１乃至第４チャンネル制御信号（ＣＳ１乃至ＣＳ４）をシフト・レジスタ部（１３４）に供給するようになる。即ち、チャンネル選択部（１３０）は”００”の値を有する第１及び第２チャンネル選択信号（Ｐ１，Ｐ２）に対応される第１チャンネル制御信号（ＣＳ１）と、”０１”の値を有する第１及び第２チャンネル選択信号（Ｐ１，Ｐ２）に対応される第２チャンネル制御信号（ＣＳ２）と、”１０”の値を有する第１及び第２チャンネル選択信号（Ｐ１，Ｐ２）に対応される第３チャンネル制御信号（ＣＳ３）と、”１１”の値を有する第１及び第２チャンネル選択信号（Ｐ１，Ｐ２）に対応される第４チャンネル制御信号（ＣＳ４）を発生する。
【００８１】
シフト・レジスタ部（１３４）に含まれたシフト・レジスタなどは信号制御部（１２０）からのソース・スタート・パルス（ＳＳＰ）をソース・シフト・クラック（ＳＳＣ）につれてシフトさせてサンプリング信号に出力する。この際、シフト・レジスタ部（１３４）は６４２個のシフト・レジスタなど（ＳＲ１乃至ＳＲ６４２）で構成される。
【００８２】
このような、シフト・レジスタ部（１３４）はチャンネル選択部（１３０）からの第１乃至第４チャンネル制御信号（ＣＳ１乃至ＣＳ４）につれて第６００、第６１８、第６３０及び第６４２シフト・レジスタ（ＳＲ６００、ＳＲ６２８、ＳＲ６３０、ＳＲ６４２）のそれぞれの出力信号を次の段データＩＣ（１１６）に供給するようになる。
【００８３】
具体的に、チャンネル選択部（１３０）から第１チャンネル制御信号（ＣＳ１）に供給される場合にシフト・レジスタ部（１３４）は第１乃至第６００番目のシフト・レジスタなど（ＳＲ１乃至ＳＲ６００）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６００番目のシフト・レジスタなど（ＳＲ６００）の出力信号（キャリ信号）を次の段のデータＩＣ（１１６）の一番目のシフト・レジスタ（ＳＲ１）に供給するようになる。これにつれて、第６０１乃至第６４２シフト・レジスタ（ＳＲ６０１乃至ＳＲ６４２）はサンプリング信号を出力しなくなる。ここで、シフト・レジスタが陽の方向に駆動される場合に中間の４２個のチャンネルを使用しなくてダミー処理して構造の上、もっと有利に使用することができる。
【００８４】
一方、チャンネル選択部（１３０）から第２チャンネル制御信号（ＣＳ２）に供給される場合にシフト・レジスタ部（１３４）は第１乃至第６１８番目のシフト・レジスタなど（ＳＲ１乃至ＳＲ６１８）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６１８番目のシフト・レジスタなど（ＳＲ６００）の出力信号（キャリ信号）を次の段のデータＩＣ（１１６）の一番目のシフト・レジスタ（ＳＲ１）に供給するようになる。これにつれて、第６１９乃至第６４２シフト・レジスタ（ＳＲ６１９乃至ＳＲ６４２）はサンプリング信号を出力しなくなる。ここで、シフト・レジスタが陽の方向に駆動される場合、中間の２４個のチャンネルを使用しなくてダミー処理して構造の上、もっと有利に使用することができる。
【００８５】
一方、チャンネル選択部（１３０）から第３チャンネル制御信号（ＣＳ３）に供給される場合にシフト・レジスタ部（１３４）は第１乃至第６３０番目のシフト・レジスタなど（ＳＲ１乃至ＳＲ６３０）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６３０番目のシフト・レジスタなど（ＳＲ６００）の出力信号（キャリ信号）を次の段のデータＩＣ（１１６）の一番目のシフト・レジスタ（ＳＲ１）に供給するようになる。これにつれて、第６３１乃至第６４２シフト・レジスタ（ＳＲ６３１乃至ＳＲ６４２）はサンプリング信号を出力しなくなる。ここで、シフト・レジスタが陽の方向に駆動される場合に中間の１２個のチャンネルを使用しなくてダミー処理して構造の上、もっと有利に使用することができる。
【００８６】
一方、チャンネル選択部（１３０）から第４チャンネル制御信号（ＣＳ４）に供給される場合にシフト・レジスタ部（１３４）は第１乃至第６４２番目のシフト・レジスタなど（ＳＲ１乃至ＳＲ６４２）を利用して信号制御部（１２０）からのソース・スタート・パルス（ＳＳＰ）をソース・サンプリング・クラック信号（ＳＳＣ）につれて順次にシフトさせてサンプリング信号に出力するようになる。この際、第６４２番目のシフト・レジスタなど（ＳＲ６００）の出力信号（キャリ信号）を次の段のデータＩＣ（１１６）の一番目のシフト・レジスタ（ＳＲ１）に供給するようになる。
【００８７】
ラッチ部（３６）はシフト・レジスタ部（１３４）からのサンプリング信号に応答して信号制御部（１２０）からの画素データ（ＶＤ）を一定単位ずつ順次にサンプリングしてラッチするようになる。このために、ラッチ部（１３６）は６４２個の画素データ（ＶＤ）をラッチするために６４２個のラッチなどで構成されて、ラッチなどのそれぞれは画素データ（ＶＤ）のビット数に対応する大きさを有する。特に、タイミング制御部（１０８）は伝送周波数を減らすために画素データ（ＶＤ）をイーブン画素データとオード画素データに分けてそれぞれの伝送ラインを通して同時に出力するようになる。ここで、イーブン画素データ（ＶＤｅｖｅｎ）とオード画素データ（ＶＤｏｄｄ）のそれぞれは赤（Ｒ），緑（Ｇ），青（Ｂ）画素データを含む。
【００８８】
これにつれてラッチ部（１３６）はサンプリング信号毎に信号制御部（１２０）を経由して供給されるイーブン画素データとオード画素データを同時にラッチするようになる。続いて、ラッチ部（１３６）は信号制御部（１２０）からのソース出力エナーブル信号（ＳＯＥ）に応答してラッチされた６３０個、６３０個及び６４２個の中のいずれか一つのデータ出力チャンネルを通して画素データ（ＶＤ）を同時に出力する。この場合、ラッチ部（１３６）はデータ反転選択信号（ＲＥＶ）に応答してトランジション・ビット数が減らすように変造された画素データ（ＶＤ）などを復元させて出力するようになる。これはタイミング制御部（１０８）でデータ伝送の際に電磁気的な干渉（ＥＭＩ）を最小化するためにトランジションされるビット数が基準値を越す画素データ（ＶＤ）などはトランジション・ビット数が減るように変造して供給するためである。
【００８９】
ＤＡＣ部（１３８）はラッチ部（１３６）からの画素データ（ＶＤ）を同時に正極性及び負極性の画素電圧信号に変換して出力するようになる。このために、ＤＡＣ部（１３８）はラッチ部（１３６）に共通接続されたＰ（Ｐｏｓｉｔｉｖｅ）デコーディング部（１４０）及びＮ（Ｎｅｇａｔｉｖｅ）デコーディング部（１４２）と、Ｐデコーディング部（１４０）およびＮデコーディング部（１４２）の出力信号を選択するためのマルチプレクサ（ＭＵＸ；１４４）とを具備する。
【００９０】
Ｐデコーディング部（１４０）に含まれるｎ個のＰデコーダーなどはラッチ部（１３６）から同時に入力されるｎ個の画素データなどをガンマ電圧部（１３２）からの正極性のガンマ電圧などを利用して正極性画素電圧信号に変換するようになる。Ｎデコーディング部（１４２）に含まれるｎ個のＮデコーダーなどはラッチ部（１３６）から同時に入力されるｎ個の画素データなどをガンマ電圧部（３２）からの負極性ガンマ電圧などを利用して負極性の画素電圧信号に変換するようになる。マルチプレクサ部（１４４）に含まれる最大６４２個のマルチプレクサなどは信号制御部（１２０）からの極性制御信号（ＰＯＬ）に応答してＰデコーダー（１４０）からの正極性の画素電圧信号またはＮデコーダー（１４２）からの負極性の画素電圧信号を選択して出力するようになる。
【００９１】
出力バッファ部（１４６）に含まれる最大６４２個の出力バッファなどは最大６４２個のデータラインなど（ＤＬ１乃至ＤＬ６４２）などに直列にそれぞれ接続された電圧ホロワー（Ｖｏｌｔａｇｅ  ｆｏｌｌｏｗｅｒ）などで構成される。このような出力バッファなどはＤＡＣ部（１３８）からの画素電圧信号などを信号緩衝してデータラインなど（ＤＬ１乃至ＤＬ６４２）に供給するようになる。
【００９２】
このような本発明の第１実施例による液晶表示装置で６００個のデータ出力チャンネルを有するデータＩＣ（１１６）は表１に表したところのようにＳＸＧＡ＋級及びＵＸＧＡ急の解像図を有する液晶パネル（１０２）に使用されて、６１８個のデータ出力チャンネルを有するデータＩＣ（１１６）はＷＳＸＧＡ級の解像図を有する液晶パネル（１０２）に使用されて、６４２個のデータ出力チャンネルを有するデータＩＣ（１１６）はＷＸＧＡ級とＷＵＸＧＡ級の解像図を有する液晶パネル（１０２）に使用される。
【００９３】
一方、本発明の第１実施例による液晶表示装置は上述のところのように第１及び第２出力選択信号（Ｐ１，Ｐ２）につれて変更されるデータＩＣ（１１６）の出力チャンネルに対応されるようにＴＣＰパッド（１１２）、液晶パネル（１０２）のデータパッド（１１４０及びリンク部（１１８）を設計するようになる。
【００９４】
このような、本発明の第１実施例による液晶表示装置とその駆動方法のデータＩＣ（１１６）は第１及び第２オプションピン（ＯＰ１、ＯＰ２）に供給される第１及び第２出力選択信号（Ｐ１，Ｐ２）につれて表１に表したところのように液晶パネル（１０２）の解像図につれてデータＩＣ（１１６）の出力チャンネルを設定することで一種類のデータＩＣ（１１６）だけでもすべての解像図を表現することができるようになる。これにつれて、本発明の第１実施例による液晶表示装置は作業性の向上及び製造費用を減少させることができる。
【００９５】
図１０は本発明の第２実施例による液晶表示装置でデータＩＣのシフト・レジスタ部及びチャンネル選択部だけを表すブロック図である。
【００９６】
図１０を参照すると、本発明の第２実施例による液晶表示装置はシフト・レジスタ部（１８４）及びチャンネル選択部（１８０）を除いてはすべての構成要素は本発明の第１実施例による液晶表示装置と同一になる。これにつれて、本発明の第２実施例による液晶表示装置では図１０を図４と結びつけてシフト・レジスタ部（１８４）及びチャンネル選択部（１８０）だけを説明することにし、異なる構成要素などに対する説明は省略する。
【００９７】
本発明の第２実施例による液晶表示装置のチャンネル選択部（１８０）は第１及び第２オプションピン（ＯＰ１、ＯＰ２）を通して第１及び第２出力選択信号（Ｐ１，Ｐ２）につれてシフト・レジスタ部（１８４）から供給される出力信号（キャリ信号）を次の段のデータＩＣ（１１６）に供給する。このようなチャンネル選択部（１８０）は二つの２進論理の制御信号につれて四つの入力の中のいずれか一つを出力するマルチプレクサを使用するようになる。
【００９８】
シフト・レジスタ部（１８４）に含まれたシフト・レジスタなど（ＳＲ１乃至ＳＲ６４２）は信号制御部からのソース・スタート・パルス（ＳＳＰ）をソース・シフト・クラック（ＳＳＣ）につれてシフトさせてサンプリング信号に出力する。この際、シフト・レジスタ部（１８４）は６４２個のシフト・レジスタなど（ＳＲ１乃至ＳＲ６４２）で構成される。
【００９９】
このような、シフト・レジスタ部（１８４）ではシフト・レジスタなど（ＳＲ１乃至ＳＲ６４２）の中の第６００、第６１８、第６３０及び第６４２シフト・レジスタ（ＳＲ６００、ＳＲ６２８、ＳＲ６３０、ＳＲ６４２）のそれぞれのチャンネル選択部（１８０）の第１入力信号へ供給されると共に第６１０シフト・レジスタ（ＳＲ６１０）の入力信号に供給される。
【０１００】
これにつれて、チャンネル選択部（１８０）は第１及び第２出力選択信号（Ｐ１，Ｐ２）の２進論理値につれて第６００、第６１８、第６３０及び第６４２シフト・レジスタ（ＳＲ６００、ＳＲ６２８、ＳＲ６３０、ＳＲ６４２）の出力信号の中のいずれか一つをキャリ信号（Ｃａｒｒｙ）として次の段のデータＩＣ（１１６）に供給するようになる。
【０１０１】
具体的に、チャンネル選択部（１８０）は”００”の値を有する第１及び第２出力選択信号（Ｐ１，Ｐ２）につれて第６００番目のシフト・レジスタ（ＳＲ６００）から供給される出力信号を次の段のデータＩＣ（１１６）の一番目のシフト・レジスタ（ＳＲ１）へ供給するようになる。この際、第６０１及び第６４２シフト・レジスタなど（ＳＲ６０１乃至ＳＲ６４２）は順次にサンプリング信号を出力するが、最終的にはデータライン（ＤＬ）に接続されないために液晶パネル（１０２）にはまったく影響を及ばない。ここで、シフト・レジスタが陽の方向に駆動される場合に中間の４２個のチャンネルを使用しなくてダミー処理して構造の上、もっと有利に使用することができる。
【０１０２】
一方、チャンネル選択部（１８０）から”０１”の値を有する第１及び第２出力選択信号（Ｐ１，Ｐ２）につれて第６１８番目のシフト・レジスタ（ＳＲ６１８）から供給される出力信号を次の段のデータＩＣ（１１６）の一番目のシフト・レジスタ（ＳＲ１）へ供給するようになる。この際、第６１９及び第６４２シフト・レジスタなど（ＳＲ６１９乃至ＳＲ６４２）は順次にサンプリング信号を出力するが、最終的にはデータライン（ＤＬ）に接続されないために液晶パネル（１０２）にはまったく影響を及ばない。ここで、シフト・レジスタが陽の方向に駆動される場合に中間の４２個のチャンネルを使用しなくてダミー処理して構造の上、もっと有利に使用することができる。
【０１０３】
また一方、チャンネル選択部（１８０）から”１０”の値を有する第１及び第２出力選択信号（Ｐ１，Ｐ２）につれて第６３０番目のシフト・レジスタ（ＳＲ６３０）から供給される出力信号を次の段のデータＩＣ（１１６）の一番目のシフト・レジスタ（ＳＲ１）へ供給するようになる。この際、第６３１及び第６４２シフト・レジスタなど（ＳＲ６３１乃至ＳＲ６４２）は順次にサンプリング信号を出力するが、最終的にはデータライン（ＤＬ）に接続されないために液晶パネル（１０２）にはまったく影響を及ばない。ここで、シフト・レジスタが陽の方向に駆動される場合に中間の１２個のチャンネルを使用しなくてダミー処理して構造の上、もっと有利に使用することができる。
【０１０４】
また一方、チャンネル選択部（１８０）から”１１”の値を有する第１及び第２出力選択信号（Ｐ１，Ｐ２）につれて第６４２番目のシフト・レジスタ（ＳＲ６００）から供給される出力信号を次の段のデータＩＣ（１１６）の一番目のシフト・レジスタ（ＳＲ１）へ供給するようになる。
【０１０５】
このような、チャンネル選択部（１８０）及びシフト・レジスタ部（１８４）を含む本発明の第２実施例による液晶表示装置のデータＩＣなど（１１６）のそれぞれは上述のところのようにシフト・レジスタ部（１８４）から出力されるサンプリング信号に応答して画素データ（ＶＤ）を一定の単位ずつ順次にラッチする。以後、ラッチされた１ライン分の画素データ（ＶＤ）をアナログ画素信号に変換してソース出力エナーブル信号（ＳＯＥ）のエナーブル期間にデータラインなど（ＤＬ１乃至ＤＬｍ）に供給するようになる。この場合、データＩＣ（１１６）などは画素データ（ＶＤ）を極性制御信号（ＰＯＬ）に応答して正極性または負極性の画素信号に変換するようになる。
【０１０６】
このような、本発明の第２実施例による液晶表示装置のデータＩＣ（１１６）は第１及び第２オプションピン（ＯＰ１、ＯＰ２）に供給される第１及び第２出力選択信号（Ｐ１，Ｐ２）につれて表１に表したように液晶パネル（１０２）の解像図につれてデータＩＣ（１１６）の出力チャンネルを設定することで一種類のデータＩＣ（１１６）だけでもすべての解像図を表現することができるようになる。これにつれて、本発明の第１実施例による液晶表示装置は作業性の向上及び製造費用を減少させることができる。
【０１０７】
図１１は本発明の第３実施例による液晶表示装置でデータＩＣを表すブロック図である。
図１１を参照すると、本発明の第３実施例による液晶表示装置はデータＩＣ（１０１６）を除いてはすべての構成要素は本発明の第１実施例による液晶表示装置と同一になる。これにつれて、本発明の第３実施例による液晶表示装置ではデータＩＣ（１０１６） だけを説明することにし、異なる構成要素などに対する説明は省略する。
【０１０８】
本発明の第３実施例による液晶表示装置でデータＩＣ（１０１６） はデータラインなど（ＤＬ）にいつもデータを供給するデータ出力群と、第１及び第２出力選択信号（Ｐ１，Ｐ２）につれて画素データの出力可否が選択されてくるダミー出力チャンネル群とを具備する。また、データＩＣ（１０１６） はデータラインなど（ＤＬ）の数につれてダミー・データ出力チャンネル群を通してデータライン（ＤＬ）に供給される画素データの出力可否を決定するための 第１及び第２出力選択信号（Ｐ１，Ｐ２）が供給される第１及び第２オプションピン（ＯＰ１、ＯＰ２）とを具備する。
【０１０９】
第１及び第２オプションピン（ＯＰ１，ＯＰ２）のそれぞれは電圧源（ＶＣＣ）及び基底電圧源（ＧＮＤ）に選択的に接続されて２ビット２進論理値を有するようになる。これにつれて、第１及び第２オプションピン（ＯＰ１，ＯＰ２）を通してデータＩＣ（１０１６）に供給される第１及び第２チャンネル選択信号（Ｐ１，Ｐ２）は”００”、”０１”、”１０”及び”１１”の値を有するようになる。
【０１１０】
これにつれて、データＩＣ（１０１６）などのそれぞれは第１及び第２オプションピン（ＯＰ１，ＯＰ２）を通して供給される第１及び第２チャンネル選択信号（Ｐ１，Ｐ２）につれて液晶パネル（１０２）の解像図につれてすでに設定された出力チャンネルを有するようになる。
【０１１１】
このような液晶パネル（１０２）の解像図につれてデータＩＣ（１０１６）の出力チャンネルによるデータＩＣ（１１６）の個数は表１のようである。一例として、本発明の第３実施例による液晶表示装置は第１及び第２チャンネル選択信号（Ｐ１，Ｐ２）につれてデータＩＣ（１０１６）の出力チャンネルを６００チャンネル、６１８チャンネル、６３０チャンネル及び６４２チャンネルの中のいずれか一つで設定することで液晶パネル（１０２）のすべての解像図を表現することができる。即ち、本発明の第３実施例による液晶表示装置のデータＩＣ（１０１６）は６４２個の出力チャンネルを有するように製造して、第１及び第２オプションピン（ＯＰ１，ＯＰ２）からの第１及び第２チャンネル選択信号（Ｐ１，Ｐ２）につれてデータＩＣ（１０１６）の出力チャンネルを設定することで液晶パネル（１０２）のすべての解像図に共用に使用することができる。
【０１１２】
これを詳細に説明すると、本発明の第３実施例による液晶表示装置のデータＩＣ（１０１６）は６４２個の出力チャンネルを有するように製造される。
【０１１３】
第１及び第２オプションピン（ＯＰ１，ＯＰ２）のそれぞれが基底電圧源（ＧＮＤ）に接続されてデータＩＣ（１０１６）に供給される第１及び第２チャンネル選択信号（Ｐ１，Ｐ２）の値が”００”である場合にデータＩＣ（１０１６）は図１１に示すように６４２個のデータ出力チャンネルの中の第４３乃至第６４２データ出力チャンネルを通して画素電圧信号を出力するようになる。この際、第１乃至第４２出力チャンネルはダミー出力チャンネルになる。また、第１オプションピン（ＯＰ１）が基底電圧源（ＧＮＤ）に接続されると共に第２オプションピン（ＯＰ２）が電圧源（ＶＣＣ）に接続されてデータＩＣ（１０１６）に供給される第１及び第２チャンネル選択信号（Ｐ１，Ｐ２）の値が”０１”である場合にデータＩＣ（１０１６）は図１２に示されたところのように６４２個のデータ出力チャンネルの中の第２５乃至第６４２データ出力チャンネルを通して画素電圧信号を出力するようになる。この際、第１乃至第２４出力チャンネルはダミー出力チャンネルになる。そして、第１オプションピン（ＯＰ１）が電圧源（ＶＣＣ）に接続されると共に第２オプションピン（ＯＰ２）が 基底電圧源（ＧＮＤ）に接続されてデータＩＣ（１０１６）に供給される第１及び第２チャンネル選択信号（Ｐ１，Ｐ２）の値が”１０”である場合にデータＩＣ（１１６）は図１３に示すように６４２個のデータ出力チャンネルの中の第１３乃至第６４２出力チャンネルを通して画素電圧信号を出力するようになる。この際、第１乃至第１２出力チャンネルはダミー出力チャンネル群になる。最後に、第１及び第２オプションピン（ＯＰ１、ＯＰ２）のそれぞれが電圧源（ＶＣＣ）に接続されてデータＩＣ（１０１６）に供給される第１及び第２チャンネル選択信号（Ｐ１，Ｐ２）の値が”１１”である場合にデータＩＣ（１０１６）は図１４に示すように第１乃至第６４２データ出力チャンネルを通して画素電圧信号を出力するようになる。
【０１１４】
このために、本発明の第３実施例による液晶表示装置のデータＩＣ（１０１６）は図１５に示すように第１及び第２オプションピン（ＯＰ１、ＯＰ２）に供給される第１及び第２チャンネル選択信号（Ｐ１，Ｐ２）につれてデータＩＣ（１０１６）の出力チャンネルを設定するためのチャンネル選択部（１０３０）と、順次的であるサンプリング信号を供給するためのシフト・レジスタ部（１０３４）と、サンプリング信号に応答して画素データ（ＶＤ）を順次にラッチして同時に出力するラッチ部（１３６）と、ラッチ部（１３６）からの画素データ（ＶＤ）を画素電圧信号に変換するデジタル・アナログ変換部（以下、”ＤＡＣ部”という）（１３８）と、ＤＡＣ（１３８）からの画素電圧信号を緩衝して出力する出力バッファ部（１４６）とを具備する。
【０１１５】
また、データＩＣ（１０１６）などはタイミング制御部（１０８）から供給される各種の制御信号などと画素データ（ＶＤ）を中継する信号制御部（１２０）と、ＤＡＣ部（１３８）で必要とする正極性及び負極性のガンマ電圧などを供給するガンマ電圧部（１３２）とを更に具備する。
【０１１６】
このような、チャンネル選択部（１０３０）及びシフト・レジスタ部（１０３４）を除いてはラッチ部（１３６）、ＤＡＣ部（１３８）、出力バッファ部（１４６）、信号制御部（１２０）及びガンマ電圧部（１３２）を含むデータＩＣ（１０１６）は上述した本発明の第１実施例による液晶表示装置のデータＩＣ（１１６）と同一のために上述した説明に代えることにする。
【０１１７】
本発明の第３実施例による液晶表示装置のデータＩＣ（１０１６）のチャンネル選択部（１０３０）は図１６に示されたところのように第１及び第２チャンネル選択信号（Ｐ１，Ｐ２）につれて信号制御部（１２０）から供給されるソース・スタート・パルス（ＳＳＰ）をＩ１（ただ、Ｉ１はＮより小さい陽の正数） 、Ｊ１（ただ、Ｊ１はＩ１より小さい陽の正数）、Ｋ１（ただ、Ｋ１はＪ１より小さい陽の正数）及びＬ１（ただ、Ｌ１はＫ１より小さい陽の正数）番目のシフト・レジスタ（ＳＲ）の中のいずれか一つに供給する。この際、Ｉ１は４３になり、Ｊ１は２５になり、Ｋ１は１３になり、Ｌ１は１になる。具体的に、チャンネル選択部（１０３０）は第１及び第２チャンネル選択信号（Ｐ１，Ｐ２）の値が”００”である場合にソース・スタート・パルス（ＳＳＰ）を第４３番目のシフト・レジスタ（ＳＲ４３）に供給する。また、チャンネル選択部（１０３０）は第１及び第２チャンネル選択信号（Ｐ１，Ｐ２）の値が”０１”である場合にソース・スタート・パルス（ＳＳＰ）を第２５番目のシフト・レジスタ（ＳＲ２５）に供給する。また、チャンネル選択部（１０３０）は第１及び第２チャンネル選択信号（Ｐ１，Ｐ２）の値が”１０”である場合にソース・スタート・パルス（ＳＳＰ）を第１３番目のシフト・レジスタ（ＳＲ１３）に供給する。そして、チャンネル選択部（１０３０）は第１及び第２チャンネル選択信号（Ｐ１，Ｐ２）の値が”１１”である場合にソース・スタート・パルス（ＳＳＰ）を第１番目のシフト・レジスタ（ＳＲ１）に供給する。ここで、第６４２番目のシフト・レジスタ（ＳＲ６４２）の出力信号（Ｃａｒｒｙ）は次の段のデータＩＣ（１０１６）の第１番目のシフト・レジスタ（ＳＲ１）に供給される。
【０１１８】
これにつれて、データＩＣ（１０１６）のシフト・レジスタ部（１０３４）は第１及び第２チャンネル選択信号（Ｐ１，Ｐ２）につれて第１、１３，２５及び４３番目のシフト・レジスタ（ＳＲ１，ＳＲ１３，ＳＲ２５，ＳＲ４３）の中のいずれか一つに供給されるソース・スタート・パルス（ＳＳＰ）をソース・シフト・クラック（ＳＳＣ）につれてシフトさせてサンプリング信号を順次に発生するようになる。その次、データＩＣ（１０１６）は本発明の第１実施例による液晶表示装置のデータＩＣと同一の動作によって画素データを発生してチャンネル選択部（１０３０）によって選択された出力チャンネルにつれてデータラインなど（ＤＬ）に供給するようになる。
【０１１９】
このような本発明の第１実施例による液晶表示装置のデータＩＣ （１０６０）は第１及び第２オプションピン（ＯＰ１、ＯＰ２）に供給される第１及び第２チャンネル選択信号（Ｐ１，Ｐ２）につれて表１に表したように液晶パネル（１０２）の解像図につれてデータＩＣ（１０１６）の出力チャンネルを設定することで一種類のデータＩＣ（１０１６）だけでもすべての解像図を表現することができるようになる。これにつれて、本発明の第３実施例による液晶表示装置は作業性の向上及び製造費用を節減させることができる。
【０１２０】
上述したところのように、本発明の第１及び第３実施例による液晶表示装置では第１及び第２チャンネル選択信号（Ｐ１，Ｐ２）につれて６４２個の出力チャンネルを有するデータＩＣ（１１６，２１６，１０１６）の出力チャンネルを変更することに限り限定されることではなく、６４２個の以下及び以上の出力チャンネルを有するデータＩＣ（１１６，２１６，１０１６）に同一に適用されることができる。
【０１２１】
また、第１及び第２チャンネル選択信号（Ｐ１，Ｐ２）につれて設定されるデータＩＣ（１１６，２１６，１０１６）の出力チャンネルは６００，６１８，６３０及び６４２個の出力チャンネルにだけ限定されることではなく、どんな場合にも適用することができる。即ち、第１及び第２チャンネル選択信号（Ｐ１，Ｐ２）につれて設定されるデータＩＣ（１１６，２１６，１０１６）の出力チャンネルは液晶パネル（１０２）の解像図、ＴＣＰの個数、ＴＣＰの幅、タイミング制御部（１０８）からデータＩＣ（１１６，２１６，１０１６）に画素データ（ＶＤ）を伝送するためのタイミング制御部（１０８）とデータＩＣ（１１６，２１６，１０１６）の間のデータ伝送ラインの数の中の少なくともいずれか一つの条件によって設定される。これにつれて、 第１及び第２チャンネル選択信号（Ｐ１，Ｐ２）につれて設定されるデータＩＣ（１１６，２１６，１０１６）の出力チャンネルは６００，６１８，６２４，６３０，６４２，６４５，６８４，６９６，７０２，７２０などになれる。
【０１２２】
そして、データＩＣ（１１６，２１６，１０１６）の出力チャンネルを設定するためのチャンネル選択信号（Ｐ１，Ｐ２）もまた２ビットの２進論理値に限定されることではなく、２ビット以上の２進論理値を有することができる。
【０１２３】
また異なる一方で、本発明の第１乃至第２実施例に拠る液晶表示装置のデータＩＣ（１１６，２１６，１０１６）は上述した液晶表示装置を含む平板表示装置に使用されることができる。
【０１２４】
上述したところのように、本発明によるデータ駆動集積回路と液晶表示装置及びその駆動方法はチャンネル選択信号を利用して液晶パネルの解像図につれてデータ集積回路のチャンネルを変更することで一種類のデータ集積回路を利用して液晶パネルのすべての解像図を駆動させることができるようになる。また、本発明は液晶パネルの解像図に関係なく、データ集積回路を共通に使用することができるのでデータ集積回路の個数を減少させることができる。結果的に、本発明の実施例による液晶表示装置は作業性の向上及び製造費用を節減することができる。
【０１２５】
以上説明した内容を通して当業者であると、本発明の技術思想を逸脱しない範囲で多様な変更及び修正が可能であることがわかる。従って、本発明の技術的の範囲は詳細な説明に記載された内容に限らず特許請求の範囲により定めなければならない。
【図面の簡単な説明】
【０１２６】
【図１】従来の液晶表示装置を概略的に表す図面である。
【図２ａ】従来のゲート・ドライバに含まれているゲート集積開を表す図面である。
【図２ｂ】従来のデータ・ドライバに含まれているデータ集積開を表す図面である。
【図３】図２ｂに示されたデータ集積回路の内部の構造を詳細に表す図面である。
【図４】本発明の第１実施例による液晶表示装置を表す図面である。
【図５】図４に示された第１及び第２チャンネルの選択信号につれて６００個のデータ出力チャンネルを有するように設定したデータ集積回路を表す図面である。
【図６】図４に示された第１及び第２チャンネルの選択信号につれて６１８個のデータ出力チャンネルを有するように設定したデータ集積回路を表す図面である。
【図７】図４に示された第１及び第２チャンネルの選択信号につれて６３０個のデータ出力チャンネルを有するように設定したデータ集積回路を表す図面である。
【図８】図４に示された第１及び第２チャンネルの選択信号につれて６４２個のデータ出力チャンネルを有するように設定したデータ集積回路を表す図面である。
【図９】図４に示されたデータ集積回路の内部の構造を詳細に表す図面である。
【図１０】本発明の第２実施例による液晶表示装置でデータ集積回路のチャンネル選択部及びシフト・レジスタだけを表すブロック図である。
【図１１】本発明の第３実施例による液晶表示装置で第１及び第２チャンネル選択信号につれて６００個の出力チャンネルを有するように設定されたデータ集積回路を表す図面である。
【図１２】本発明の第３実施例による液晶表示装置で第１及び第２チャンネル選択信号につれて６１８個の出力チャンネルを有するように設定されたデータ集積回路を表す図面である。
【図１３】本発明の第３実施例による液晶表示装置で第１及び第２チャンネル選択信号につれて６３０個の出力チャンネルを有するように設定されたデータ集積回路を表す図面である。
【図１４】本発明の第３実施例による液晶表示装置で第１及び第２チャンネル選択信号につれて６４２個の出力チャンネルを有するように設定されたデータ集積回路を表す図面である。
【図１５】本発明の第３実施例による液晶表示装置のデータ集積回路を表す図面である。
【図１６】本発明の第３実施例による液晶表示装置のデータ集積回路のチャンネル選択部及びシフト・レジスタ部だけを表す図面である。
【符号の説明】
【０１２７】
２，１０２：液晶パネル
７：液晶セル
４，１０４：データドライバ
６，１０６：ゲートドライバ
８，１０８：タイミング制御部
１０：ゲートＩＣ
１６，１１６，２１６，１０１６：データＩＣ
２０，１２０：信号制御部
３２，１３２：ガンマ電圧部
３４，１３４，１８４：シフト・レジスタ部
３６，１３６：ラッチ部
３８，１３８：ＤＡＣ部
４０：Ｐディコーディング部
４２：Ｎディコーディング部
４６，１４６：出力バッファ部
１４４：マルチプレクサ
１８０，１０３０：チャンネル選択部
【図１】
2005173591.tif 000004
【図２ａ】
2005173591.tif 000005
【図２ｂ】
2005173591.tif 000006
【図３】
2005173591.tif 000007
【図４】
2005173591.tif 000008
【図５】
2005173591.tif 000009
【図６】
2005173591.tif 000010
【図７】
2005173591.tif 000011
【図８】
2005173591.tif 000012
【図９】
2005173591.tif 000013
【図１０】
2005173591.tif 000014
【図１１】
2005173591.tif 000015
【図１２】
2005173591.tif 000016
【図１３】
2005173591.tif 000017
【図１４】
2005173591.tif 000018
【図１５】
2005173591.tif 000019
【図１６】
2005173591.tif 000020